(57)【要約】      （修正有）【課題】ネックおよびマウスピースをコンパクトに収納することができ、また管楽器の開口部分に容易に収納することができる管楽器のネックおよびマウスピース収納袋を提供する。【解決手段】管楽器のネック２１およびマウスピース２２の収納袋は、管楽器のネックおよびマウスピースの収納袋であって、フレキシブルな素材からなる収納袋本体１１には、ほぼＬ字形のネック収納部１２の内側にマウスピース収納部１３を並置するとともに、収納袋本体１１のネック収納部１２およびマウスピース収納部１３が長さ方向に並んでいる側面に開閉可能に蓋１５を設け、ネックおよびマウスピースが収納時および取出し時に飛び出しにくくしたことを特徴とする。【選択図】図３
0003154864.tif 000002
【実用新案登録請求の範囲】
【請求項１】
管楽器のネックおよびマウスピースの収納袋であって、フレキシブルな素材からなる収納袋本体には、ほぼＬ字形のネック収納部の内側にマウスピース収納部を並置するとともに、収納袋本体のネック収納部およびマウスピース収納部が長さ方向に並んでいる側面に開閉可能に蓋を設け、ネックおよびマウスピースが収納時および取出し時に飛び出しにくくしたことを特徴とする管楽器のネックおよびマウスピースの収納袋。
【請求項２】
管楽器のネックおよびマウスピースの収納袋であって、フレキシブルな素材からなる収納袋本体には、ほぼＬ字形のネック収納部の内側にマウスピース収納部を並置するとともに、収納袋本体のネック収納部およびマウスピース収納部が長さ方向に並んでいる側面に開閉可能に蓋を設けて、ネックおよびマウスピースが収納時および取出し時に飛び出しにくくし、収納袋本体の長さ方向の端部に開閉可能な蓋を備えた小物入れを設けたことを特徴とする管楽器のネックおよびマウスピースの収納袋。
【請求項３】
前記フレキシブルな素材からなる収納袋本体が、ネック収納部およびマウスピース収納部を収束させることによって、管楽器内の開口部分に収納可能としたことを特徴とする請求項１または２に記載の管楽器のネックおよびマウスピースの収納袋。
【請求項４】
前記開閉可能な蓋が、マグネットボタン、ホック、ファスナ、紐等から選ばれた係止部材によって閉止されるようにしたことを特徴とする請求項１ないし３のいずれかに記載の管楽器のネックおよびマウスピースの収納袋。
【請求項５】
前記小物入れが、少なくとも吸湿剤、消臭剤を収納可能としたことを特徴とする請求項２に記載の管楽器のネックおよびマウスピースの収納袋。
【考案の詳細な説明】
【技術分野】
【０００１】
この考案は、管楽器の開口部分に収納できるようにした管楽器のネックおよびマウスピースの収納袋に関するものである。
【背景技術】
【０００２】
管楽器のネックおよびマウスピースは、それぞれを個別に収納袋に収納することが一般的であったが、それぞれを個別に収納袋に入れて保管した場合には紛失したり、落として破損したりしやすく、また取り扱いにくいという問題があった。
【０００３】
そこで管楽器のネックおよびマウスピースを一体的に収納する収納袋が市販されているが、その収納袋は単に、管楽器のネックおよびマウスピースを長さ方向につなげただけのものであった。
【先行技術文献】
【特許文献】
【０００４】
【特許文献１】特にありません。
【考案の概要】
【考案が解決しようとする課題】
【０００５】
前記従来の管楽器のネックおよびマウスピース収納袋は、単に管楽器のネックおよびマウスピースを長さ方向につなげただけのものであったため、ネックおよびマウスピースをコンパクトに収納することが難しく、管楽器の朝顔管からはめ込んで開口部分に収納する場合等において手間がかかるという問題点があった。
この考案の管楽器のネックおよびマウスピース収納袋は、ネックおよびマウスピースをコンパクトに収納することができ、また管楽器の開口部分に容易に収納することができるようにしたものである。
【課題を解決するための手段】
【０００６】
すなわち、この考案の管楽器のネックおよびマウスピースの収納袋は、管楽器のネックおよびマウスピースの収納袋であって、フレキシブルな素材からなる収納袋本体には、ほぼＬ字形のネック収納部の内側にマウスピース収納部を並置するとともに、収納袋本体のネック収納部およびマウスピース収納部が長さ方向に並んでいる側面の開口部に開閉可能に蓋を設け、ネックおよびマウスピースが収納時および取出し時に飛び出しにくくしたことを特徴とするものである。
【０００７】
またこの考案の管楽器のネックおよびマウスピースの収納袋は、管楽器のネックおよびマウスピースの収納袋であって、フレキシブルな素材からなる収納袋本体には、ほぼＬ字形のネック収納部の内側にマウスピース収納部を並置するとともに、収納袋本体のネック収納部およびマウスピース収納部が長さ方向に並んでいる側面の開口部に開閉可能に蓋を設け、ネックおよびマウスピースが収納時および取出し時に飛び出しにくくし、収納袋本体の長さ方向の端部に開閉可能な蓋を備えた小物入れを設けたことをも特徴とするものである。
【０００８】
この考案の管楽器のネックおよびマウスピースの収納袋は、前記フレキシブルな素材からなる収納袋本体が、ネック収納部およびマウスピース収納部を収束させることによって、管楽器内の開口部分に収納可能としたことをも特徴とするものである。
【０００９】
この考案の管楽器のネックおよびマウスピースの収納袋は、前記開閉可能な蓋が、マグネットボタン、ホック、ファスナ、紐等から選ばれた係止部材によって閉止されるようにしたことをも特徴とするものである。
【００１０】
この考案の管楽器のネックおよびマウスピースの収納袋は、前記小物入れが、少なくとも吸湿剤、消臭剤を収納可能としたことをも特徴とするものである。
【考案の効果】
【００１１】
この考案によれば、前記従来の管楽器のネックおよびマウスピース収納袋に比して、ネックおよびマウスピースをコンパクトに収納することができ、また管楽器の朝顔管からはめ込んで開口部分に容易に収納することができる管楽器のネックおよびマウスピース収納袋を提供することができるようになった。
【図面の簡単な説明】
【００１２】
【図１】管楽器のネックおよびマウスピースの収納袋の実施の形態を示す展開状態の正面図である。
【図２】図１の蓋の閉止状態を示す正面図である。
【図３】管楽器（アルトサクソフォン）のネックおよびマウスピースを収納袋本体に収納した状態を示す概略説明図である。
【図４】管楽器のネックおよびマウスピースの収納袋の他の実施の形態を示す展開状態の正面図である。
【図５】図４の蓋の閉止状態を示す正面図である。
【図６】除湿剤、消臭剤を小物入れに収納した状態を示す概略説明図である。
【考案を実施するための形態】
【００１３】
収納袋本体にネックおよびマウスピースをコンパクトに収納するという目的を、フレキシブルな素材からなる収納袋本体に、ほぼＬ字形のネック収納部の内側にマウスピース収納部を並置するとともに、収納袋本体のネック収納部およびマウスピース収納部が長さ方向に並んでいる側面に開閉可能に蓋を設けることにより、あわせてネックおよびマウスピースが収納時および取出し時に飛び出しにくくすることにより実現した。
【実施例１】
【００１４】
図１ないし図３は、この考案の管楽器のネックおよびマウスピースの収納袋の１実施例を示すものである。
この実施例の管楽器のネックおよびマウスピースの収納袋は、フェルトや布、不織布、軟質プラスチックシート、皮革等からなるフレキシブルな素材によって収納袋本体１１が作成されている。
そして、前記フレキシブル素材を縫製し、ほぼＬ字形のネック収納部１２の内側にマウスピース収納部１３を並置するとともに、収納袋本体１１のネック収納部１２およびマウスピース収納部１３が長さ方向に並んでいる側面の開口部１４には、開閉可能に蓋１５を設けたものである。
【００１５】
したがって、図３に示すように、Ｌ字形のネック収納部１２にはその開口部１４からネック２１が、またマウスピース収納部１３にはその開口部１４からマウスピース２２がそれぞれ押し込まれて収納されている。
このように、ネック収納部１２をＬ字形とし、かつ収納袋本体１１側面の開口部１４に蓋１５を設けたことにより、蓋１５を開いてネック２１やマウスピース２２を取り出す際にそれらがバラバラと床に落ちて損傷を来たすことがなく、しかも蓋１５にネック収納部１２およびマウスピース収納部１３に共通した開閉機能を持たせることができ、シンプルですっきりしたデザインとすることができる。
この実施例の管楽器のネックおよびマウスピースの収納袋においては、前記開閉可能な蓋１５が、マグネットボタンからなる係止部材１６によって閉止されている。
もちろん、前記マグネットボタンに代えて、ホック、ファスナ、紐等から選ばれた係止部材１６とすることも可能である。
【００１６】
またこの実施例の管楽器のネックおよびマウスピースの収納袋は、前記フレキシブルな素材からなる収納袋本体１１が、ネック収納部１２およびマウスピース収納部１３を幅方向に折畳むようにして収束させることにより、管楽器内の朝顔管からはめ込んで開口部分に収納できるようになっている。
すなわち、収納袋本体１１をネック収納部１２およびマウスピース収納部１３を幅方向に折畳むようにして収束させると、管楽器（図示せず）内の開口部分に収納可能な丸棒状となり、管楽器内の開口部分にはめ込むことができるのである。
【実施例２】
【００１７】
図４ないし図６は、この考案の管楽器のネックおよびマウスピースの収納袋の他の実施例を示すものである。
この実施例の管楽器のネックおよびマウスピースの収納袋も、フレキシブルな素材によって収納袋本体３１が作成されている。
すなわち、前記フレキシブル素材を縫製し、ほぼＬ字形のネック収納部３２の内側にマウスピース収納部３３を並置するとともに、収納袋本体３１のネック収納部３２およびマウスピース収納部３３が長さ方向に並んでいる側面の開口部３４には、開閉可能に蓋３５を設けたものである。
【００１８】
したがって、図４ないし図６に示すように、Ｌ字形のネック収納部３２にはその開口部３４からネックが、またマウスピース収納部３３にはその開口部３４からマウスピースがそれぞれ押し込まれて収納される。
この実施例の管楽器のネックおよびマウスピースの収納袋においても、前記開閉可能な蓋３５が、マグネットボタンからなる係止部材３６によって閉止されている。
【００１９】
この実施例の管楽器のネックおよびマウスピースの収納袋においては、収納袋本体３１の長さ方向の端部に開閉可能な蓋３８を備えた小物入れ３７が設けてある。この小物入れ３７は、図では右下半分を斜めに切断したほぼ三角形状に形成され、その切断面に蓋３８が延設されている。
そして、前記小物入れ３７は、少なくとも吸湿剤、消臭剤等３９を収納可能としたものである。
このように、小物入れ３７に吸湿剤、消臭剤等３９を収納した状態で、この実施例の管楽器のネックおよびマウスピースの収納袋を管楽器内にその朝顔管から落とし込んで開口部分に収納することにより、管楽器内の除湿や消臭をも行うことができるのである。
図において４０は、開閉可能な蓋３８および小物入れ３７に所定の間隔で複数形成した通気孔であり、管楽器内の除湿や消臭作用をより効果的に行うことができる。
【００２０】
この実施例の管楽器のネックおよびマウスピースの収納袋においては、前記小物入れ３７の開閉可能な蓋３８が、紐からなる係止部材４１によって閉止されている。
【００２１】
各実施例の管楽器のネックおよびマウスピースの収納袋においては、ネック収納部１２，３２やマウスピース収納部１３，３３、小物入れ３７の形状や寸法は、管楽器のネックおよびマウスピースの形状や寸法に応じて適宜決定することができる。
【産業上の利用可能性】
【００２２】
この考案は、管楽器の開口部分に収納できるようにした管楽器のネックおよびマウスピースの収納袋に関するものであり、その技術的思想を変更しない限り、サキソフォンその他、適宜の管楽器に使用することが可能な種々の管楽器のネックおよびマウスピースの収納袋に応用することができる。
【符号の説明】
【００２３】
１１  収納袋本体
１２  ネック収納部
１３  マウスピース収納部
１４  開口部
１５  蓋
１６  係止部材
２１  ネック
２２  マウスピース
３１  収納袋本体
３２  ネック収納部
３３  マウスピース収納部
３４  開口部
３５  蓋
３６  係止部材
３７  小物入れ
３８  蓋
３９  吸湿剤、消臭剤等
４０  通気孔
４１  係止部材
【図１】
0003154864.tif 000003
【図２】
0003154864.tif 000004
【図３】
0003154864.tif 000005
【図４】
0003154864.tif 000006
【図５】
0003154864.tif 000007
【図６】
0003154864.tif 000008